【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
記憶部及び表示部を備え、指定された宛先に対してデータを送信する送信機能を有する通信装置であって、
前記記憶部で、管理者用のアドレス帳を含む複数のアドレス帳で宛先情報を管理する管理手段と、
ユーザが前記送信機能を利用する際の設定を行う際に、前記表示部に対して、デフォルトとして表示すべきアドレス帳の表示を制御する制御手段と、を有し、
前記制御手段は、
（１）データの送信者が前記ユーザとなって実行される前記送信機能によるデータ送信の設定が行われる場合は、デフォルトとして前記管理手段により管理された管理者用のアドレス帳とは異なるアドレス帳を表示し、
（２）前記ユーザに対応しない情報がデータの送信者となって所定の条件に従い実行される前記送信機能によるデータ送信の設定が行われる場合は、デフォルトとして前記管理手段により管理された管理者用のアドレス帳を表示することを特徴とする通信装置。
【請求項２】
前記制御手段は、前記ユーザが管理者でなければ、デフォルトとして前記管理手段により管理された管理者用のアドレス帳とは異なるアドレス帳を表示することを特徴とする請求項１に記載の通信装置。
【請求項３】
前記ユーザに対応しない情報がデータの送信者となって所定の条件に従い実行される前記送信機能によるデータ送信は、前記通信装置が受信したデータの前記所定の条件に従う転送であることを特徴とする請求項１または２に記載の通信装置。
【請求項４】
前記制御手段は、データの送信者が前記ユーザとなって実行される前記送信機能によるデータ送信の設定が行われる場合に、前記ユーザからの操作に基づき宛先情報を登録する際には、デフォルトとして前記管理手段により管理された管理者用のアドレス帳とは異なる該ユーザの個人用のアドレス帳を表示することを特徴とする請求項１乃至３のいずれか１項に記載の通信装置。
【請求項５】
記憶部及び表示部を備え、指定された宛先に対してデータを送信する送信機能を有する通信装置であって、
前記記憶部で、管理者用のアドレス帳を含む複数のアドレス帳で宛先情報を管理する管理手段と、
ユーザが前記送信機能を利用する際の設定を行う際に、前記表示部に対して、デフォルトとして表示すべきアドレス帳の表示を制御する制御手段と、を有し、
前記制御手段は、前記ユーザに対応しない情報がデータの送信者となって所定の条件に従い実行される前記送信機能によるデータ送信の設定が行われる場合に、
（１）前記通信装置での処理の結果を通知するためのデータ送信であれば、デフォルトとして前記管理手段により管理された管理者用のアドレス帳とは異なるアドレス帳を表示し、
（２）前記通信装置での処理の結果を通知するためのデータ送信でなければ、デフォルトとして前記管理手段により管理された管理者用のアドレス帳を表示することを特徴とする通信装置。
【請求項６】
前記通信装置での処理の結果を通知するためのデータ送信でないデータ送信は、前記通信装置が受信したデータの前記所定の条件に従う転送であることを特徴とする請求項５に記載の通信装置。
【請求項７】
前記通信装置での処理の結果を通知するためのデータ送信は、文書が保存された際に該文書の保存先を通知するためのデータ送信であることを特徴とする請求項５または６に記載の通信装置。
【請求項８】
前記通信装置は、さらに、スキャナを備え、
前記送信機能により前記スキャナを用いて生成した画像データが送信可能であることを特徴とする請求項１乃至７のいずれか１項に記載の通信装置。
【請求項９】
記憶部及び表示部を備え、指定された宛先に対してデータを送信する送信機能を有する通信装置における制御方法であって、
前記記憶部で、管理者用のアドレス帳を含む複数のアドレス帳で宛先情報を管理する管理工程と、
ユーザが前記送信機能を利用する際の設定を行う際に、前記表示部に対して、デフォルトとして表示すべきアドレス帳の表示を制御する制御工程と、を有し、
前記制御工程では、
（１）データの送信者が前記ユーザとなって実行される前記送信機能によるデータ送信の設定が行われる場合は、デフォルトとして前記記憶部で管理された管理者用のアドレス帳とは異なるアドレス帳が表示され、
（２）前記ユーザに対応しない情報がデータの送信者となって所定の条件に従い実行される前記送信機能によるデータ送信の設定が行われる場合は、デフォルトとして前記記憶部で管理された管理者用のアドレス帳が表示されることを特徴とする制御方法。
【請求項１０】
記憶部及び表示部を備え、指定された宛先に対してデータを送信する送信機能を有する通信装置における制御方法であって、
前記記憶部で、管理者用のアドレス帳を含む複数のアドレス帳で宛先情報を管理する管理工程と、
ユーザが前記送信機能を利用する際の設定を行う際に、前記表示部に対して、デフォルトとして表示すべきアドレス帳の表示を制御する制御工程と、を有し、
前記制御工程では、前記ユーザに対応しない情報がデータの送信者となって所定の条件に従い実行される前記送信機能によるデータ送信の設定が行われる場合に、
（１）前記通信装置での処理の結果を通知するためのデータ送信であれば、デフォルトとして前記記憶部で管理された管理者用のアドレス帳とは異なるアドレス帳が表示され、
（２）前記通信装置での処理の結果を通知するためのデータ送信でなければ、デフォルトとして前記記憶部で管理された管理者用のアドレス帳が表示されることを特徴とする制御方法。
【請求項１１】
コンピュータを、請求項１乃至８のいずれか１項に記載の通信装置の各手段として機能させるためのプログラム。
【手続補正２】
【補正対象書類名】明細書
【補正対象項目名】発明の名称
【補正方法】変更
【補正の内容】
【発明の名称】通信装置とその制御方法、及びプログラム
【手続補正３】
【補正対象書類名】明細書
【補正対象項目名】０００１
【補正方法】変更
【補正の内容】
【０００１】
本発明は、通信装置とその制御方法、及びプログラムに関する。
【手続補正４】
【補正対象書類名】明細書
【補正対象項目名】００１１
【補正方法】変更
【補正の内容】
【００１１】
上記目的を達成するために本発明の一態様に係る通信装置は以下のような構成を備える。即ち、
記憶部及び表示部を備え、指定された宛先に対してデータを送信する送信機能を有する通信装置であって、
前記記憶部で、管理者用のアドレス帳を含む複数のアドレス帳で宛先情報を管理する管理手段と、
ユーザが前記送信機能を利用する際の設定を行う際に、前記表示部に対して、デフォルトとして表示すべきアドレス帳の表示を制御する制御手段と、を有し、
前記制御手段は、
（１）データの送信者が前記ユーザとなって実行される前記送信機能によるデータ送信の設定が行われる場合は、デフォルトとして前記管理手段により管理された管理者用のアドレス帳とは異なるアドレス帳を表示し、
（２）前記ユーザに対応しない情報がデータの送信者となって所定の条件に従い実行される前記送信機能によるデータ送信の設定が行われる場合は、デフォルトとして前記管理手段により管理された管理者用のアドレス帳を表示することを特徴とする。
【手続補正５】
【補正対象書類名】明細書
【補正対象項目名】００２２
【補正方法】変更
【補正の内容】
【００２２】
ファイルサーバ３０２は、スキャナ部１０４で得られた画像データの送信先であり、複合機１００とネットワーク３０１を介して接続されている。Ｇ３ファクス装置３０３は、複合機１００と公衆回線網３０４を介して接続されている。ユーザは、後述する複合機１００の操作画面から送信先、送信時の詳細な設定を指定することにより、所望の宛先に文書や画像データを送信することができる。
【手続補正６】
【補正対象書類名】明細書
【補正対象項目名】００４６
【補正方法】変更
【補正の内容】
【００４６】
アドレス帳の表示要求を受け付けるとＳ１００４に進みＣＰＵ１０８は、Ｓ１００１で認証したユーザが管理者であるか否かを判定する。ここで管理者であると判定するとＳ１００５に進むが、そうでないときはＳ１００８に進む。Ｓ１００５でＣＰＵ１０８は、Ｓ１００３で受け付けたアドレス帳の表示要求が、ユーザが複合機１００を操作してデータを送信するためのものか、複合機１００への機器設定、例えば転送先の設定のためかを判定する。具体的に、ＣＰＵ１０８は、Ｓ１００５で、アドレス帳の表示要求を、図５の操作画面の「アドレス帳」ボタン５０４によって受け付けたか、図９（Ｂ）の転送先を設定する画面の「転送先設定」ボタン９０３によって受け付けたかを判定する。アドレス帳の表示要求を、図５の操作画面の「アドレス帳」ボタン５０４によって受け付けたと判定した場合、ユーザの指示に基づき、ユーザが複合機１００を操作して送信するためのものである。そのため、ＣＰＵ１０６は、Ｓ１００８に処理を進める。また、アドレス帳の表示要求を、図９（Ｂ）の転送先を設定する画面の「転送先設定」ボタン９０３によって受け付けたと判定した場合、複合機１００への設定である。そのため、ＣＰＵ１０８は、Ｓ１００６に処理を進める。
【手続補正７】
【補正対象書類名】明細書
【補正対象項目名】００７７
【補正方法】変更
【補正の内容】
【００７７】
図１６は、実施形態４に係る複合機１００におけるアドレス帳の表示処理を説明するフローチャートである。尚、この処理を実行するプログラムはメモリ１０９に格納されており、実行時ＲＡＭ１１１に展開され、ＣＰＵ１０８の制御の下に実行されることにより、このフローチャートで示す処理が達成される。